(57)【特許請求の範囲】
【請求項１】
機体に走行車輪とロータリ耕耘部とを独立して設け、かつ前記ロータリ耕耘部の後部に走行用の尾輪と耕深調節用の尾ソリとを作用姿勢と収納姿勢とに変更自在に配置した耕耘機において、
長手方向の一端に前記尾輪が支持され他端に位置決め用の切欠部が形成された尾輪支持部材と、
長手方向の一端に前記尾ソリが支持され他端に位置決め用の切欠部が形成された尾ソリ支持部材と、
前記ロータリ耕耘部を覆うロータリカバーの上部後方に固定され、前記尾輪支持部材と前記尾ソリ支持部材のいずれか一方を前記作用姿勢に支持する案内部と、前記切欠部との間で係合離脱可能な係合ピンの案内孔と、前記尾輪支持部材と前記尾ソリ支持部材のいずれか他方を前記収納姿勢に支持し得る収納部と、が形成された支持装置と、
前記係合ピンを前記切欠部に係合する方向に常時付勢して、前記作用姿勢に支持された前記尾輪支持部材又は前記尾ソリ支持部材を保持する付勢スプリングと、を備え、
路上走行時には前記尾ソリ支持部材を前記収納姿勢に支持して前記尾輪支持部材を前記作用姿勢に支持し、耕耘作業時には前記尾輪支持部材を前記収納姿勢に支持して前記尾ソリ支持部材を前記作用姿勢に支持してなる、
ことを特徴とする耕耘機におけるロータリの尾輪収納装置。
【発明の詳細な説明】
【０００１】
【産業上の利用分野】
本発明は、機体に走行車輪とロータリ耕耘部とを独立して設け、かつロータリ耕耘部の後部に尾輪と尾ソリとを作用姿勢と収納姿勢とに変更自在に配置した耕耘機におけるロータリの尾輪収納装置に関する。
【０００２】
【従来の技術】
従来、機体にロータリを一体に組込まれたような簡易型の耕耘機では特に路上走行用の尾輪を備えない耕耘機は知られている。また特別装備として路上走行用の尾輪を備える耕耘機でも、耕深調節用の尾ソリを取外して該位置に路上走行用の尾輪を装着するものは既に知られている。
【０００３】
【発明が解決しようとする課題】
従来、既に知られているような、路上走行時に尾輪を備えない耕耘機では、路上走行中、常に耕耘刃が地面に接触しないように、運転者がハンドルを支持した状態で走行するため、運転者が疲労することが多かった。また、特別装備として尾輪を準備しても、尾ソリを取外して、尾輪と交換する時に、その都度、尾輪を別場所まで取りに行ったり、取外した尾ソリを別場所まで運搬しなければならず、不便なことが多かった。
【０００４】
【課題を解決するための手段】
本発明は、上述事情に鑑みなされたものであって、機体（８）に走行車輪（３）とロータリ耕耘部とを独立して設け、かつ前記ロータリ耕耘部の後部に走行用の尾輪（１６ａ）と耕深調節用の尾ソリ（１５ａ）とを作用姿勢と収納姿勢とに変更自在に配置した耕耘機（１）において、
長手方向の一端に前記尾輪（１６ａ）が支持され他端に位置決め用の切欠部が形成された尾輪支持部材（１６）と、
長手方向の一端に前記尾ソリ（１５ａ）が支持され他端に位置決め用の切欠部（１５ｂ）が形成された尾ソリ支持部材（１５）と、
前記ロータリ耕耘部を覆うロータリカバー（１８）の上部後方に固定され、前記尾輪支持部材（１６）と前記尾ソリ支持部材（１５）のいずれか一方を前記作用姿勢に支持する案内部（１９ａ）と、前記切欠部との間で係合離脱可能な係合ピン（２３）の案内孔（２２）と、前記尾輪支持部材（１６）と前記尾ソリ支持部材（１５）のいずれか他方を前記収納姿勢に支持し得る収納部（１７ｂ）と、が形成された支持装置（１７）と、
前記係合ピン（２３）を前記切欠部に係合する方向に常時付勢して、前記作用姿勢に支持された前記尾輪支持部材（１６）又は前記尾ソリ支持部材（１５）を保持する付勢スプリング（２４）と、を備え、
路上走行時には前記尾ソリ支持部材（１５）を前記収納姿勢に支持して前記尾輪支持部材（１６）を前記作用姿勢に支持し、耕耘作業時には前記尾輪支持部材（１６）を前記収納姿勢に支持して前記尾ソリ支持部材（１５）を前記作用姿勢に支持してなるように構成して、上述の課題を解決した。
【０００５】
【作用】
上記構造に基づき、路上走行時には尾ソリ（１５ａ）を前記収納部（１７ｂ）に固定して尾輪（１６ａ）を前記支持装置（１７）に支持して走行用の尾輪となし、耕耘作業時には尾輪（１６ａ）を前記収納部（１７ｂ）に固定して尾ソリ（１５ａ）を前記支持装置（１７）に支持して耕深調節用の尾ソリとなる。
【０００６】
この際、不使用となる尾輪（１６ａ）または尾ソリ（１５ａ）は、ロータリカバー（１８）の上部後方に設けらた収納部（１７ｂ）に固定されているので、常に耕耘機（１）と共にあり、作業切換時に、その都度、別場所まで取りに行ったり、置きに行ったりする必要がなく、尾輪（１６ａ）または尾ソリ（１５ａ）の交換が容易である。
【０００８】
なお、上述カッコ内の符号は、図面と対照するものであるが、何等本発明の構成を限定するものではない。
【０００９】
【実施例】
以下、図面に沿って、本発明の実施例について説明する。
【００１０】
耕耘機１は、エンジン２の動力を一方では、走行車輪３に伝達し、他方では後方のロータリ４の耕耘軸５を駆動し、耕耘軸５に複数本装着された耕耘爪６を回転させて主として管理作業等の軽作業を行なう耕耘機である。
【００１１】
耕耘機１は、図１（ａ）．（ｂ）に示すように、機体８に走行車輪３とロータリ４のロータリ耕耘部とが独立して設けられ、機体８の後部には、走行速度を変更する変速操作レバー９ならびに主クラッチレバー１０、サイドクラッチレバー１１を備えたハンドル１２が、斜め後方に向け伸張して配設されている。
【００１２】
ハンドル１２は、図１（ａ）に示すように、機体８との接続部は一本のパイプ８ａで固定されているが、中間部で左右に分かれ、回動軸８ｂの回りに数段に回動可能に固定され、作業者の姿勢に合わせ、後端部の高さを調節可能になっている。
【００１３】
前記ハンドル１２は、後方に向かって広がるループ状の一本のパイプで構成され、後端部１２ａの直前に、アーチ型の可倒式の主クラッチレバー１０が配設され、後端部１２ａの方向に主クラッチレバー１０を倒して握ると、主クラッチが入るようになっている。
【００１４】
上記構造により、本形式の耕耘機１は，図１（ｂ）に示すように、ハンドル１２の下方、ロータリ４の上方、ならびに作業者の足元に、十分の空間を有している。
【００１５】
本形式のロータリ４は、主として畑の管理作業を目的としているので、水田用の耕耘機と異なり、耕耘爪６の耕耘反力により、耕耘機１が前方に飛び出さないように、耕耘爪６の直後に、先端に抵抗板１４ａを有する抵抗棒１４を上下調節可能に装着し、一方抵抗棒１４の先端の抵抗板１４ａが土中に食い込むのを防止すると共に、耕深を安定させるために、抵抗棒１４の直後に、長手方向の一端に尾ソリ１５ａが支持され、他端に位置決め用の切欠部１５ｂが形成された尾ソリ支持部材１５を装着し、この尾ソリ支持部材１５を上下調節して耕耘作業を行なう。
【００１６】
一方、耕耘作業の前後に路上を走行する場合は、前記抵抗棒１４及び耕耘爪６を直接道路に接地させることは出来ないので、作業者はハンドル１２を高く保持してロータリ４を宙に浮かせて移動していたが、本発明のように、前記尾ソリ１５ａの代りに後方に図１（ｂ），（ｃ）に示すように、長手方向の一端に尾輪１６ａが支持され、他端に位置決め用の切欠部（図２（ｂ）参照）が形成された尾輪支持部材１６を装着し（作用姿勢）、路上走行時には機体８の走行車輪３と尾輪１６ａを接地させて走行すると、運転が容易となる。
【００１７】
前記尾ソリ１５ａ及び尾輪１６ａの支持部材１５，１６は同一断面形状に形成されているので、不使用時には、図１（ｃ）及び図２（ｂ）に示すように、尾ソリ１５ａ又は尾輪１６ａは、ロータリ４の上部カバー１８の後部に設けられた、図３（ａ），（ｂ）に示すような形状のブラケット１７後部の孔１７ｂ（収納部）に水平方向に挿入され（収納姿勢）、後部の固定ノブ１７ａによって固定されているため、常に耕耘機１と共にあり、作業切換時に、その都度、別場所まで取りに行ったり、置きに行ったりする必要がなく、尾ソリ１５ａ又は尾輪１６ａの交換が容易である。
【００２０】
また、支持ブラケット１７の中間部には、中央部に前記尾ソリ１５ａが上下調節可能に案内部１９ａを設けると共に、その後方に図３（ｂ）に示すように、側面視で逆Ｌ字形の孔２２を開け、該孔２２にピン（係合ピン）２３を貫通させて（図２（ｂ）参照）、尾ソリ１５ａの背面に刻まれた切欠き１５ｂに係合させて尾ソリ１５ａを適当な高さを保持している。
【００２１】
前記ピン２３は、常にスプリング２４（図２（ａ）（ｂ）参照）によって孔２２の水平部で尾ソリ支持部材１５の切欠き１５ｂに密着する方向に付勢され、尾ソリ１５ａの高さを調整する場合は、スプリング２４の付勢力に抗してピン２３を後方に移動し、孔２２の垂直部に保持してピン２３と切欠き１５ｂとの係合を断ち、尾ソリ１５ａを所要の位置に移動した後、ピン２３を孔２２の水平部に移動させると、スプリング２４の付勢力によって所要位置の別の切欠き１５ｂに係合される。
【００２３】
このようにして、尾輪１６ａをロータリ４の上部カバー１８の上部に収納したまま耕耘作業ができるので、耕耘作業終了後、路上走行をする場合も、別場所に尾輪１６ａを取りに行くことなく、上述とは逆の操作をして容易に尾輪１６ａを装着状態とすることができる。
【００２５】
なお、前記主クラッチレバー１０を、単純なアーチ型に形成していると、両手でハンドル後端部１２ａを握って走行中、右手で主クラッチレバー１０を倒し、ハンドル後端部１２ａと共に握った時、左手を詰める虞があるので、図４（ａ）に示すように、アーチ型の左半分の回動半径を小さくしてオフセットさせてなるように形成すると、右手で主クラッチレバー１０を倒した時、図４（ｂ）のように左手を防護することができる。
【００２６】
【発明の効果】
本発明は、機体に走行車輪とロータリ耕耘部とを独立して設け、かつ前記ロータリ耕耘部の後部に走行用の尾輪と耕深調節用の尾ソリとを作用姿勢と収納姿勢とに変更自在に配置した耕耘機において、
長手方向の一端に前記尾輪が支持され他端に位置決め用の切欠部が形成された尾輪支持部材と、
長手方向の一端に前記尾ソリが支持され他端に位置決め用の切欠部が形成された尾ソリ支持部材と、
前記ロータリ耕耘部を覆うロータリカバーの上部後方に固定され、前記尾輪支持部材と前記尾ソリ支持部材のいずれか一方を前記作用姿勢に支持する案内部と、前記切欠部との間で係合離脱可能な係合ピンの案内孔と、前記尾輪支持部材と前記尾ソリ支持部材のいずれか他方を前記収納姿勢に支持し得る収納部と、が形成された支持装置と、
前記係合ピンを前記切欠部に係合する方向に常時付勢して、前記作用姿勢に支持された前記尾輪支持部材又は前記尾ソリ支持部材を保持する付勢スプリングと、を備え、
路上走行時には前記尾ソリ支持部材を前記収納姿勢に支持して前記尾輪支持部材を前記作用姿勢に支持し、耕耘作業時には前記尾輪支持部材を前記収納姿勢に支持して前記尾ソリ支持部材を前記作用姿勢に支持してなるように構成したので、尾輪をロータリの上部カバーの上部に装着したまま耕耘作業ができるようになり、耕耘作業終了後、路上走行をする場合も、別場所に尾輪を取りに行くこともなく、容易に尾輪装着状態とすることができるようになった。
【図面の簡単な説明】
【図１】路上走行時の（ａ）耕耘機の平面図である。（ｂ）耕耘機の側面図である。
（ｃ）ロータリの後面図である。
【図２】耕耘作業時の（ａ）ロータリの側面図である。（ｂ）ロータリの後面図である。
【図３】（ａ）支持ブラケットの平面図である。（ｂ）支持ブラケットの側面図である。
【図４】（ａ）主クラッチレバーの斜視図である。（ｂ）主クラッチレバーを倒した時の斜視図である。
【符号の説明】
１        耕耘機
４        ロータリ
１０        主クラッチレバー
１２        ハンドル
１４        抵抗棒
１５ａ        尾ソリ
１６ａ        尾輪
１７        ブラケット
【図１】
0003615266.tif 000002
【図２】
0003615266.tif 000003
【図３】
0003615266.tif 000004
【図４】
0003615266.tif 000005